(57)【特許請求の範囲】
【請求項１】
器具透光開口を有する器具本体と、この器具本体に装着されるランプを点灯する点灯装置と、前記器具透光開口の略中央部に配置されて前記ランプによる床面側の明るさを検知する明るさセンサと、この明るさセンサの信号を受けて前記ランプの出力を調整する調光装置とを備えた照明器具において、
前記明るさセンサは、前記器具本体に取付けられたセンサ部保持台と、先端に透光窓を有して前記センサ部保持台に保持されかつ前記器具本体が前記器具透光開口に器具装着オプションを有しない場合に前記器具装着オプションの設置位置から離れるように予め決められた第１の位置と前記器具本体が前記器具装着オプションを有する場合に前記器具装着オプションに近づくように予め決められた第２の位置との間を移動自在なセンサケースと、このセンサケース内に配置されて前記透光窓より入った光を検知するセンサ素子とを有することを特徴とする照明器具。
【請求項２】
前記明るさセンサは、前記ランプからの直射光および器具内反射光が前記明るさセンサの前記センサ素子に入射しないように設けられた請求項１記載の照明器具。
【請求項３】
前記センサケースは前記器具透光開口の面に略垂直方向に上下移動可能であり、かつ前記センサケースを任意の高さに停止できるようにした請求項１または請求項２記載の照明器具。
【請求項４】
人感知センサを前記明るさセンサに並設した請求項１、請求項２または請求項３記載の照明器具。
【発明の詳細な説明】
【０００１】
【発明の属する技術分野】
この発明は、照明器具に関するものである。
【０００２】
【従来の技術】
従来よりあるセンサ付照明器具において、人体検知用のセンサを筐体の中心に配置した例（たとえば特開平３−２３６１０３号）がある。
【０００３】
一方、明るさセンサを備えた照明器具においては、図９および図１０に示すものがある。図９に示す従来例は、器具本体５０、反射板５１およびランプ５２を有し、点灯装置および調光装置を器具本体５０に設け、明るさセンサ５３の装置５４を器具本体５０の長手方向の端部に設けた構成である。この照明器具は、明るさセンサ５３を備えた器具単独で使用可能であるが、多くの場合、図１０に示すように明るさセンサ付照明器具５５ａ、調光機能を備えた照明器具５５ｂ、他の照明器具５５ｃ、５５ｄからなる同機種の照明器具を同時制御する同一制御系６０に適用されるもので、照明器具５５ａの明るさセンサ５３で図１０に示すように検知範囲の床面の明るさを検知し、照明器具５５ｂの調光装置で照明器具５５ｂのほか制御用信号線５７を通して照明器具５５ａ、５５ｃ、５５ｄを調光している。
【０００４】
この場合、照明器具５５ａは、明るさセンサ５３を器具端部に配置して、同一制御系６０のほぼ中心部の明るさを検知するように考慮されている。
【０００５】
【発明が解決しようとする課題】
しかし、この照明器具５５ａの明るさセンサ５３は隣接器具５５ｂ〜５５ｄによる明るさの影響を受けるものであり、器具配置の設定が容易でなく、また器具埋込穴がセンサが付加されていない一般型器具と異なるので、一般器具と並設される場合でも施工準備が容易でないという欠点があった。
【０００６】
この発明は、明るさセンサを備えた照明器具において明るさ制御を器具単独で行なう場合、そのセンサ配置について提案するものである。
【０００７】
したがって、この発明の目的は、他の器具の明るさの影響を受けず、器具配置の設定が容易であり、器具埋込型の場合の埋込穴を一般器具と同じにすることが可能な照明器具を提供することである。
【０００８】
【課題を解決するための手段】
請求項１記載の照明器具は、器具透光開口を有する器具本体と、この器具本体に装着されるランプを点灯する点灯装置と、前記器具透光開口の略中央部に配置されて前記ランプによる床面側の明るさを検知する明るさセンサと、この明るさセンサの信号を受けて前記ランプの出力を調整する調光装置とを備えた照明器具において、
前記明るさセンサは、前記器具本体に取付けられたセンサ部保持台と、先端に透光窓を有して前記センサ部保持台に保持されかつ前記器具本体が前記器具透光開口に器具装着オプションを有しない場合に前記器具装着オプションの設置位置から離れるように予め決められた第１の位置と前記器具本体が前記器具装着オプションを有する場合に前記器具装着オプションに近づくように予め決められた第２の位置との間を移動自在なセンサケースと、このセンサケース内に配置されて前記透光窓より入った光を検知するセンサ素子とを有することを特徴とするものである。
【０００９】
請求項１記載の照明器具によれば、自己のランプ出力範囲を重点的に検知できるので、隣接器具の影響を受けにくく、器具配置の設定が容易になる。また器具埋込型の場合埋込穴をセンサが付加されていない一般型器具と同じにすることができるので、器具が並設される場合でも施工準備が容易である。
また明るさセンサを容易に器具装着オプションに対応することができる。
【００１０】
請求項２記載の照明器具は、請求項１において、前記明るさセンサは、前記ランプからの直射光および器具内反射光が前記明るさセンサのセンサ素子に入射しないように設けられたものである。
【００１１】
請求項２記載の照明器具によれば、請求項１と同様な効果のほか、より正確に床面照度を検知することができる。
【００１２】
請求項３記載の照明器具は、請求項１または請求項２において、前記センサケースは前記器具透光開口の面に略垂直方向に上下移動可能であり、かつ前記センサケースを任意の高さに停止できるようにしたものである。
【００１３】
請求項３記載の照明器具によれば、請求項１または請求項２と同様な効果のほか、明るさセンサを容易に器具装着オプションに対応することができる。また床面照度に対する感度調整が可能となり、さらにランプの直接光や反射板の反射光をより確実に避けることも可能となる。
【００１４】
請求項４記載の照明器具は、請求項１、請求項２または請求項３において、人感知センサを前記明るさセンサに並設したものである。
【００１５】
請求項４記載の照明器具によれば、請求項１、請求項２または請求項３と同様な効果のほか、オプションの形態が従来と大差なく設計可能である。
【００１６】
【発明の実施の形態】
この発明の第１の実施の形態を図１および図２により説明する。すなわち、この照明器具は、器具本体１と、明るさセンサ２とを有する。
【００１７】
器具本体１は、下面に器具透光開口１ａを有する箱形であり、その内天面に点灯装置および調光装置が設けられ、中央が断面逆山形をした山形部３を有する反射板４で点灯装置等が被覆されている。反射板４は山形部３の長手方向の中央、すなわち器具本体１の器具透光開口１ａの中央部の位置にセンサ保持用の切欠５を形成している。また器具本体１の両端部で反射板４の下側に露出してランプソケット６が設けられ、ランプソケット６に直管形の蛍光灯を用いたランプ７が装着されている。点灯装置はランプ７を点灯駆動する。調光装置は明るさセンサ２の信号を受けてランプ７の出力を調整する。
【００１８】
明るさセンサ２は、ランプ７による床面側の明るさを検知するものであり、明るさセンサ２を器具透光開口１ａの略中央部に配置している。実施の形態では、切欠５に明るさセンサ２を嵌着している。
【００１９】
図２はこの実施の形態の照明器具１０の複数を天井に設置した状態であり、各照明器具１０のセンサの検知範囲１１はそれぞれ自己の照明器具１０により照明された床面の一点鎖線で示す範囲内の照度を検知して出力を調整している。このように、センサ検知範囲が自己のランプ出力範囲を重点的に検知可能であり、器具配置の設定が容易になる。
【００２０】
第１の実施の形態によれば、自己のランプ出力範囲を重点的に検知でき、隣接器具の影響を受けにくく、器具配置の設定が容易になる。さらに器具埋込穴がセンサが付加されていない一般形器具と同じにすることができるので、並設される場合でも施工準備が容易である。
【００２１】
この発明の第２の実施の形態を図３および図４により説明する。すなわち、この照明器具は、第１の実施の形態において、ランプソケット６に装着されたランプ７からの直射光Ｌ1 および反射板４による器具内反射光Ｌ2 が明るさセンサ２の受光部に入射しないように明るさセンサ２を設けている。
【００２２】
実施の形態では、明るさセンサ２が、センサケース１４の底部に受光部となる透光窓１５を形成し、センサケース１４内に回路基板１６を設け、回路基板１６に透光窓１５に対応して透光窓１５から入射した光を検知するセンサ素子１７を実装配置している。このように構成したセンサケース１４を反射板４の切欠５に嵌着し上端を器具本体１に取付けている。そしてこの場合、明るさセンサ２の機能は床面からの反射光を検知することであるため、ランプ７の直射光Ｌ1 および器具内の反射板４による反射光Ｌ2 が受光部に入射しないように配慮する必要がある。このため、透光窓１５の位置はランプソケット６に装着されたランプ７の位置よりも低くして、ランプ管下端Ａからのランプ７の直射光が入射するのを防止するとともに、反射板４の両側縁部の下端Ｂからの反射光が入射して明るさセンサ２の感知が回避されるように配慮して決定されている。またセンサケース１４はランプ７の直射光Ｌ1 および器具内反射光Ｌ2 の通りの妨げとならないようにセンサケース１４の透光窓１５の両側に傾斜面１４ａを形成している。
【００２３】
第２の実施の形態によれば、ランプ７の直接光および反射板４の器具内反射光の受光がないので、より正確に床面照度を検知することができる。
【００２４】
その他は第１の実施の形態と同様である。
【００２５】
この発明の第３の実施の形態を図５から図７により説明する。すなわち、この照明器具は、第２の実施の形態において、器具本体１がルーバ、パネル等のオプション取付け可能な器具の場合である。この場合、明るさセンサ２は照明器具の器具本体１の器具透光開口１ａの面に略垂直方向に上下移動可能に構成している。
【００２６】
実施の形態では、図７に示すように断面Ｕ字形のセンサ部保持台２２の上端外向き折曲片をねじ２３により器具本体１に取付けて下端を反射板４の切欠５に位置し、このセンサ部保持台２２にセンサケース１４を上下動自在に保持している。センサ部保持台２２は底部に角形のケース挿通穴２４を形成し、一側部の上下に一対の位置決め孔２５、２６を形成している。センサケース１４はケース挿通穴２４に挿通され、位置決め孔２５、２６のいずれかにセンサケース１４およびセンサ部保持台２２の少なくともいずれかの弾性を利用して係脱自在に係止する略三角形の引掛用突起２７を側部に設け、かつケース挿通穴２４の縁部に引っ掛かるセンサ部落下防止用突起２８を両端面部に設けている。図７（ｂ）はセンサケース１４をセンサ部保持台２２のケース挿通穴２４に挿通し引掛用突起２７を位置決め孔２６に引掛け状態であり、この状態でセンサケース１４が反射板４の切欠５より下方に突出した図５（ｂ）に示すようになる。この状態でさらにセンサケース１４を引き下げてもセンサ部落下防止用突起２８がケース挿通穴２４の縁部に引っ掛かるため落下防止できる。一方、センサケース１４を押し上げるとセンサ部保持台２２の側部およびセンサケース１４の側部の少なくともいずれかの弾性により引掛用突起２７が位置決め孔２６から離れて位置決め孔２５に係止しこれに保持され、この状態が図３に示す第２の実施の形態のセンサケース１４の位置と同じ高さとなる。
【００２７】
明るさセンサ２が第２の実施の形態に示す位置に固定されていると、ルーバ１９には明るさセンサ２の検知範囲を遮蔽しないような開口が必要とされ意匠的に問題が生じる。したがって明るさセンサ２は器具装着オプションの種類により最適な位置へ移動させて固定可能にしている。
【００２８】
また図５（ｂ）は、ルーバ１９を器具本体１に増設した例であり、ルーバ１９の中央上面にセンサ２のセンサケース１４を挿入させる凹部２０を形成し、ルーバ１９の増設時に手でセンサケース１４を反射板４から予め図７（ｂ）の位置に引き下げておいて、ルーバ１９を取付ける際にセンサケース１４を凹部２０内に収納させるように、ルーバ１９を器具本体１に取付ける。またルーバ１９の凹部２０の底部に透光窓１５に整合する孔２１を形成している。
【００２９】
第３の実施の形態によれば、明るさセンサ２を容易に器具装着オプションに対応することができる。
【００３０】
なお、センサケース１４を昇降スライド自在にしねじ等により任意レベルで停止できるようにすることも可能であり、この場合床面照度に対する感度調整が可能となり、またランプ７の直接光や反射板の反射光をより確実に避けることも可能となる。
【００３１】
この発明の第４の実施の形態を図８により説明する。すなわち、この照明器具は、第１の実施の形態において、人感知センサを明るさセンサ２に並設している。この場合、第２の実施の形態のようなセンサケース１４に透光窓１５および人検知用透光窓２２を並設し、窓１５、２２に対応して回路基板１６に明るさセンサ素子および人感知センサ素子を並設している。
【００３２】
第４の実施の形態によれば、オプションの形態が従来と大差なく設計可能である。なお、第２の実施の形態および第３の実施の形態にも適用することができる。
【００３３】
【発明の効果】
請求項１記載の照明器具によれば、自己のランプ出力範囲を重点的に検知できるので、隣接器具の影響を受けにくく、器具配置の設定が容易になる。また器具埋込型の場合埋込穴がセンサが付加されていない一般型器具と同じにすることができるので、器具が並設される場合でも施工準備が容易である。
また明るさセンサを容易に器具装着オプションに対応することができる。
【００３４】
請求項２記載の照明器具によれば、請求項１と同様な効果のほか、より正確に床面照度を検知することができる。
【００３５】
請求項３記載の照明器具によれば、請求項１または請求項２と同様な効果のほか、明るさセンサを容易に器具装着オプションに対応することができる。
また床面照度に対する感度調整が可能となり、さらにランプの直接光や反射板の反射光をより確実に避けることも可能となる。
【００３６】
請求項４記載の照明器具によれば、請求項１、請求項２または請求項３と同様な効果のほか、オプションの形態が従来と大差なく設計可能である。
【図面の簡単な説明】
【図１】この発明の第１の実施の形態の斜視図である。
【図２】その天井設置状態の平面図である。
【図３】第２の実施の形態の照明器具の断面図である。
【図４】そのセンサの外観斜視図である。
【図５】第３の実施の形態を示し、（ａ）は照明器具のルーバを外した状態の断面図、（ｂ）ルーバを増設した状態の断面図である。
【図６】そのルーバを取付けた状態の斜視図である。
【図７】センサ部保持台およびセンサケースを示し、（ａ）は分解斜視図、（ｂ）はセンサケースをセンサ部保持台に装着した状態の斜視図である。
【図８】第４の実施の形態の斜視図である。
【図９】従来例の斜視図である。
【図１０】その天井設置状態の平面図である。
【符号の説明】
１    器具本体
１ａ    器具透光開口
２    明るさセンサ
３    山形部
４    反射板
５    切欠
６    ランプソケット
７    ランプ
【図１】
0003951477.tif 000002
【図２】
0003951477.tif 000003
【図３】
0003951477.tif 000004
【図４】
0003951477.tif 000005
【図５】
0003951477.tif 000006
【図６】
0003951477.tif 000007
【図７】
0003951477.tif 000008
【図８】
0003951477.tif 000009
【図９】
0003951477.tif 000010
【図１０】
0003951477.tif 000011